(57)【要約】【課題】引戸の肉厚（引戸の内壁面と外壁面との幅寸法）を薄肉（小さく）することができる引戸錠を提案すること。【解決手段】引戸の戸先に組み込まれ、かつ、施錠部材を施・解錠するロック部材をそれぞれ内装する錠箱と、この錠箱に対して上下方向に位置するように戸先に外側取付け座を介して組み込まれた外側入力手段と、この外側入力手段の内筒部材の中心軸線を基準として該中心軸線上に位置しないように錠箱の上下方向に内側取付け座を介して設けられた内側入力手段とを備え、外側入力手段に連動する制御片は、一端部が内筒部材に係合し、一方、他端部に錠箱の透孔を貫通してロック部材と係合するクランク状の作動レバーであることを特徴とする引戸錠。【選択図】図６
2011047112.tif 000002
【特許請求の範囲】
【請求項１】
引戸の戸先に組み込まれ、かつ、施錠部材を施・解錠するロック部材をそれぞれ内装する錠箱と、この錠箱に対して上下方向に位置するように前記戸先に外側取付け座を介して組み込まれた外側入力手段と、この外側入力手段の内筒部材の中心軸線を基準として該中心軸線上に位置しないように前記錠箱の上下方向に内側取付け座を介して設けられた内側入力手段とを備え、前記外側入力手段に連動する制御片は、一端部が前記内筒部材に係合し、一方、他端部に前記錠箱の透孔を貫通して前記ロック部材と係合する突起部分を有するクランク状の作動レバーであることを特徴とする引戸錠。
【請求項２】
請求項１に於いて、外側取付け座には、外側入力手段を構成すると共に内筒部材を収納する筒状外筒部が一体成形されていることを特徴とする引戸錠。
【請求項３】
請求項１又は請求項２に於いて、クランク状の作動レバーは、その垂直板状の一端部が外側取付け座の筒状外筒部の内端に対向するように突設された位置決め兼用案内部分内にスライド自在に嵌合し、かつ、固定手段を介して前記位置決め兼用案内部分に固定された垂直案内板に案内されることを特徴とする引戸錠。
【請求項４】
請求項１に於いて、外側入力手段は、錠箱の上壁よりも上方に位置し、これに対して、内側入力手段は、前記錠箱の幅広側壁の外側に全部又は一部が位置することを特徴とする引戸錠。
【発明の詳細な説明】
【技術分野】
【０００１】
本発明は片引戸、引違い戸等に使用される引戸錠に関し、特に、引戸の戸先内に組み込まれた錠箱内に施錠部材を施・解錠するロック部材を有すると共に、該施錠部材を直接又は間接的に施・解錠するための内外の入力手段（施・解錠用操作部材）を引戸に備え、引戸の肉厚（引戸の内壁面と外壁面との幅寸法）を薄肉（小さく）することを目的とする引戸錠に関する。
【背景技術】
【０００２】
特許文献１の引戸錠の主たる目的は、高齢者、子供などでも容易に操作できると共に、解錠状態（開戸状態）において、サムターン部材としての内側入力手段（施解錠操作部材）が戸の面より突出する量を極めて小さくすることができることである。
【０００３】
上記目的を解決するため、特許文献１の引戸錠は、「施解錠操作部材を操作することにより、錠ケースに内装された伝動部材を介して施錠又は解錠するようにした引戸錠において、取付け座のうち少なくとも内側座には、少なくとも人の手指一本が入る幅の凹部を形成するとともに、該凹部には施解錠操作部材のうち室内側操作部材を前後方向に出没自在に枢支する一方、前記室内側操作部材は前面側に平坦面を有し、室内側操作部材の操作部を前記伝動部材の係合受部に係合して、室内側操作部材の引き又は押し操作により上記伝動部材を可動して鎌体を出没するようにし、さらに、室内側操作部材の平坦面は解錠状態時には戸の側面とほぼ面一になる構成」である。
【０００４】
該特許文献１は、確かに、内側取付け座に凹所を形成し、該凹所内に内側入力手段（施・解錠用操作部材）の全部を収納すると共に、該内側入力手段を、横軸を介して枢支したので、主たる目的（操作性の向上）を達成することができると同時に、引戸の肉厚を薄肉にすることができるという利点が認められる。
【０００５】
しかしながら、例えば特許文献１のスイング式内側入力手段の構成を前提として、外側入力手段を引戸の外壁面側に装着した場合に於いて、外側入力手段の外筒体の中心軸線上に前記スイング式内側入力手段の横軸（枢軸）が位置すると、設計上、物理的に引戸の肉厚が大きく成るという問題点があった。
【０００６】
そこで、引戸の戸先内に組み込まれた錠箱内に施錠部材を施・解錠するロック部材を有すると共に、該施錠部材を直接又は間接的に施・解錠するための内外の入力手段（施・解錠用操作部材）を引戸に備えた引戸錠に於いて、引戸の肉厚（引戸の内壁面と外壁面との幅寸法）を薄肉（小さく）することができる引戸錠の出現が要望されている。
【先行技術文献】
【特許文献】
【０００７】
【特許文献１】特開平８−８６１３２
【発明の概要】
【発明が解決しようとする課題】
【０００８】
本願発明の所期の目的は、引戸の戸先内に組み込まれた錠箱内に施錠部材を施・解錠するロック部材を有すると共に、該施錠部材を直接又は間接的に施・解錠するための内外の入力手段（施・解錠用操作部材）を引戸に備えた引戸錠に於いて、引戸の肉厚（引戸の内壁面と外壁面との幅寸法）を薄肉（小さく）することができる引戸錠を提案することである。第２の目的は、外側入力手段からの入力（操作力）を受ける制御片（クランク状の作動レバー）を外側取付け座に対して位置決めした状態で簡単に装着することができることである。第３の目的は、制御片が所定方向にスムースに移動することである。その他の目的は、特許文献１に記載の利点を生かすことができることである。
【課題を解決するための手段】
【０００９】
本発明の引戸錠は、引戸の戸先に組み込まれ、かつ、施錠部材を施・解錠するロック部材をそれぞれ内装する錠箱と、この錠箱に対して上下方向に位置するように前記戸先に外側取付け座を介して組み込まれた外側入力手段と、この外側入力手段の内筒部材の中心軸線を基準として該中心軸線上に位置しないように前記錠箱の上下方向に内側取付け座を介して設けられた内側入力手段とを備え、前記外側入力手段に連動する制御片は、一端部が前記内筒部材に係合し、一方、他端部に前記錠箱の透孔を貫通して前記ロック部材と係合する突起部分を有するクランク状の作動レバーであることを特徴とする。
【００１０】
上記構成に於いて、外側取付け座には、外側入力手段を構成すると共に内筒部材を収納する筒状外筒部が一体成形されていることを特徴とする。また、クランク状の作動レバーは、その垂直板状の一端部が外側取付け座の筒状外筒部の内端に対向するように突設された位置決め兼用案内部分内にスライド自在に嵌合し、かつ固定手段を介して前記位置決め兼用案内部分に固定された垂直案内板に案内されることを特徴とする。さらに、外側入力手段は、錠箱の上壁よりも上方に位置し、これに対して、内側入力手段は、前記錠箱の幅広側壁の外側に全部又は一部が位置することを特徴とする。
【発明の効果】
【００１１】
上記構成により、本願発明は、引戸の肉厚を薄肉にすることができる。また、外側入力手段からの入力を受ける制御片を外側取付け座に対して位置決めした状態で簡単に装着することができる。さらに、制御片はスムースに案内される。加えて、特許文献１に記載の利点（内側入力手段の操作性の向上、面一化等）を生かすことができる。
【図面の簡単な説明】
【００１２】
【図１】解錠状態を示す錠箱内の各部材を示す説明図。
【図２】解錠状態を示す内外の入力手段や取り付け座を示す説明図。
【図３】施錠状態を示す錠箱内の各部材を示す説明図。
【図４】施錠状態を示す内外の入力手段や取り付け座を示す説明図。
【図５】内側入力手段の概略説明図。
【図６】内外の取り付け座、制御片等の概略説明図。
【図７】外側取付け座の内面（背面）を示す斜視図。
【図８】外側取付け座の筒状外筒部に内装される内筒部材の概略説明図。
【図９】内筒部材を構成する内筒部材の横概略断面説明図。
【図１０】制御片の斜視図。
【図１１】制御片の縦概略断面説明図。
【図１２】制御片の装着方法と垂直案内板（固定板）の固定方法の説明図。
【発明を実施するための最良の形態】
【００１３】
図１乃至図１２は、本発明の一例を示す発明を実施するための最良の形態（第１実施例）で、図１及び図２は解錠状態を示す各説明図である。これに対して、図３及び図４は施錠状態を示す各説明図である。
【００１４】
まず、図１〜図４を参照にして、引戸錠Ｘの基本的な構成部材を説明する。
【００１５】
１は戸枠、２は引戸、３は錠箱である。錠箱３は戸先内に不番の固着手段を介して組込まれている。錠箱３は、周知のようにケース身とケース蓋とから成り、フロント板４や裏板５を有する。錠箱３に形成された軸孔、トリガー用開口、鎌片用開口、ストッパー等の細部的事項の説明は省略する。
【００１６】
さて、錠箱３の下壁３ａ、上壁３ｂ及び後壁３ｃとそれぞれ直交する左右の幅広側壁３ｄ、３ｄには、後述する作動レバーの突起部分並びに室内側操作部材の指先状突起部分がそれぞれ並んで貫入する透孔６が形成されている。本実施例では、この透孔６は、図１を基準にすると、錠箱３の四隅の１つである右上（後壁３ｃの上部付近）に形成されている。
【００１７】
また、周知のように、錠箱３内には施錠部材７が組み込まれている。施錠部材７は、例えばトリガーバネ８により、常時フロント板４から突出する方向に付勢されたトリガー９と、このトリガー９と動力変換機構（ラックとピニオン、係合ピンと長孔など）１０を介して出没自在に回動する鎌片１１とから成る。施錠部材７の細部的事項の説明も割愛する。
【００１８】
また、周知のように、錠箱３内には、施錠部材７を施・解錠するロック部材１２が組み込まれている。ロック部材１２は、例えば解錠時（図１を参照）、内外の入力手段のいずれかの操作力により錠箱３の上壁３ｂ方向へ移動するスライダー１３と、このスライダー１３の連係手段（例えば係合孔と係合ピン）１４を介して、かつ、フロント板４付近の枢軸１５を支点にトリガー９の段差状係合部から離れる方向（時計方向）へ回動する係止片１６とから成る。そして、前記スライダー１３の後端部には、錠箱３の透孔６と符合し、かつ、後述する作動レバーの突起部分並びに室内側操作部材の指先状突起部分がそれぞれ並んで係入する矩形状の開口（後端係合部）１７が設けられている。ロック部材１２の細部的事項の説明も割愛する。
【００１９】
ここで、図１と図３を参照にして、ロック部材１２の施錠時の作用を簡単に説明する。図１で示すように、トリガー９はトリガーバネ８の付勢力によりフロント板４から突出し、一方、鎌片１１は動力変換機構１０の作用（直線運動を回動運動に変換）により錠箱３内に後退している。図１に於いて、引戸２を閉めると、トリガー９の先端部は戸枠１側の受け具１８のストライクに衝突するので、該トリガー９はトリガーバネ８のバネ力に抗して後退すると共に、鎌片１１は動力変換機構１０を介して突出し受け具１８の受孔に係入する。
【００２０】
そこで、後述する内外の入力手段のいずれかを施錠方向へと操作すると、その操作力はロック部材１２のスライダー１３に直接又は間接的に伝わり、該スライダー１３は矢印で示すようにトリガー９に接近する方向へと移動する。そうすると、係止片１６は連係手段１４を介して枢軸１５を支点にトリガー９の段差状係合部に係合する方向（時計方向）へ回動して該トリガー９を係止する（図３：本施錠の状態）。
【００２１】
以上が引戸錠Ｘの要部（施錠部材７とロック部材１２）の一例であるが、以下、該要部に加味した本発明の新規事項を説明する。
【００２２】
前述したように、図２は解錠状態、一方、図３は施錠状態を示す。例えば図２を基準にすると、左側が室外、右側が室内である。したがって、２１は外側取付け座で、該外側取付け座２１に内筒部材を含む外側入力手段２２が設けられている。
【００２３】
また、２３は内側取付け座で、該内側取付け座には、横軸２４を介して内側入力手段２５が設けられている。内側入力手段２５は、図５で示すように、操作する人の手前（前面）側に垂直面部２５ａを有し、該垂直面部２５ａの内壁面の中央部に指先状突起部分２５ｂが一体的に設けられている。指先状突起部分２５ｂは、図１及び図３で示すように錠箱３の透孔６を水平状態に貫通し、かつ、スライダー１３の開口１７に係合している。
本実施例では、内側入力手段２５は、その全体又は一部が内側取付け座２３の下端部に形成した凹所２６内に略収納されるように横軸２４を介して枢支されている（図２参照）が、施錠時、垂直面部２５ａの上端部側を指で「ワンタッチ方式」で押圧すると、内側入力手段２５は横軸２４を支点に反時計方向へ所定量回転して傾倒状態となり、垂直面部２５ａの下端部側は引戸２の内壁面２ａから突出する。
【００２４】
図６は内外の取り付け座、制御片、固定手段等の概略説明図である。この図６を基準にすると、仮想線で示した引戸２の左側に外側取付け座２１と、該外側取付け座２１の凹所に固定的に嵌め込まれる垂直カバー２７と、前記外側取付け座２１と内側取付け座２３とを一体的に連結する複数の第１固定手段（例えば固着具）２８とを示してある。
一方、引戸２の右側に内側取付け座２３と、制御片３１用の垂直案内板（固定板）３２と、該垂直案内板３２を外側取付け座２１の筒状外筒部の内端部に突出形成した位置決め兼用案内部分に固定するための複数の第２固定手段（例えば固着具）３３を示してある。
【００２５】
しかして、前記外側取付け座２１は、引戸２の適宜箇所に形成された不番の装着用開口或いは切欠部分に組み込まれ、外周縁部に不番のフランジを有する矩形板状の座本体３５と、この座本体３５の上端部（一端部）側に一体成形された筒状外筒部３６とから成る。座本体２５の形状は特に問わないが、丸座よりも、望ましくは、図７で示すように長座が良い。本実施例では、前側に凹所３７を有する長座本体３５の上下端部に第１固定手段２８用の貫通孔部分３８、３８を複数個（合計４個）形成している。
【００２６】
また、座本体３５の上端部或いは上端部寄りの部位に短筒状外筒部３６を横方向に一体成形している。短筒状外筒部３６は、例えばシリンダー錠を例にすると、シリンダー錠の外筒体に相当する。短筒状外筒部３６は、例えば図２で示すように、引戸２の外壁面側から該引戸の装着用開口に嵌め込まれた場合には、その内端部３６ｂは内側取付け座２３の内壁面に対して相当の間隙を有して該引戸２内に収まる。
【００２７】
一方、短筒状外筒部３６の小径嵌合孔を有する外端部３６ａは、座本体３５の凹所３７から食み出さないように設定されている。さらに、短筒状外筒部３６の内周壁には、短筒状外筒部３６の中心軸線Ｏに沿って係合溝３９が形成されている。
【００２８】
ここで外側取付け座２１の裏側を斜視で示した図７を参照にすると、短筒状外筒部３６の外周壁には、左右上下に合計４つのパイプ状螺合筒４１がそれぞれ互いに水平状態に対向して設けられている。本実施例では、前記パイプ状螺合筒４１は短筒状外筒部３６と共に一体成形され、かつ、各内端部４１ｂは、短筒状外筒部３６の内端部３６ｂの端面から所要量均等に突出して制御片３１用の位置決め兼用案内部分となっている。
【００２９】
このように、本実施例では、外側入力手段２１は、外側取付け座２１の一端部に形成された短筒状外筒部３６と、この短筒状外筒部３６内に組み込まれる内筒部材４２とから構成されているが、前記内筒部材４２は、組込みの容易性の観点から、例えば短筒状外筒部３６の小径嵌合孔に嵌合するように該短筒状外筒部３６内に組み込まれる前部回転体４３と、この前部回転体４３と共働回転することができるように短筒状外筒部３６内に組み込まれる後部回転体４４から構成されている。
【００３０】
図８は内筒部材４２の一例を示す概念図である。前部回転体４３と後部回転体４４は共に中心軸線Ｏ上に合鍵Ｋ用の鍵穴４５ａ、５４ｂを有している。鍵穴４５ａ、４ｂの形状は、合鍵Ｋの平板状ブレード部分の形状に対応して、例えば大小の矩形状に形成されている。前部回転体４３に組み込まれた複数個の可動障害子４６の構成如何は問わないが、例えば複数個の可動障害子は、二枚或いは三枚程度のディスクタンブラーが用いられる。
また、前部回転体４３と共にユニット化され、かつ、短筒状外筒部３６の係合溝３９に係脱する図示しないロッキングバーも短筒状外筒部３６内に適宜に組み込まれている。さらに、後部回転体４４の端面の縁部には、テールピースに相当する係合突起４７ａが設けられている。
【００３１】
ところで、外側取付け座２１の座本体２５には、制御片３１取付け用の複数個の開口部分４８，４９が上下方向に筒状嵌合突起５０を介して形成されている。本実施例では、短筒状外筒部３６の直ぐ下方の部位に形成された第１開口４８が上方開口に相当し、該上方開口４８には、制御片３１のクランク形状の上端部に相当する垂直板状の一端部３１ａを回転しながら差し込むことが可能である。
【００３２】
一方、第２開口４９が下方開口に相当し、該下方開口４９には、前記制御片３１のクランク形状の下端部３１ｂに一体的に設けられ或いは形成された水平状態の突起部分５１を差し込むことが可能である。
【００３３】
したがって、本実施例では、外側入力手段２１の内筒部材４２に連動する制御片３１は、一端部３１ａが前記内筒部材４２の後部回転体４４の連係手段を構成する係合突起４７ａに係合し、一方、他端部３１ｂに錠箱３の透孔６を貫通して前述したロック部材１２と係合する突起部分５１を有するクランク状の作動レバーである点に特徴がある。
【００３４】
しかして、クランク状作動レバー３１は、その垂直板状の一端部３１ａが外側取付け座２１の筒状外筒部３６の内端に対向するように突設された位置決め兼用案内部分４１の端部４１ｂ内にスライド自在に嵌合し、かつ複数個の第２固定手段３３を介して前記位置決め兼用案内部分４１に固定された矩形状の垂直案内３２板に案内される。
【００３５】
なお、クランク状作動レバー３１の上端部３１ａの縁部寄りの部位には、連係手段を構成する係合突起４７ａ用係合孔７４ｂが形成されている。また、クランク状作動レバー３１の下端部３１ｂの左右の適宜部位には、図１０で示すように左右一対の弾性係合爪片５２が設けられており、これらの弾性係合爪片５２は、座本体２５の第２開口４９の内周壁に上下方向に形成した段差状係止部分５３が形成されている。その他のクランク状作動レバー３１の細部的事項の説明は割愛する。
【００３６】
本願発明の所期の目的を達成するために、制御片として、上記のようなクランク状作動レバー３１を採用すると共に、内側入力手段２５を外側入力手段２１の内筒部材４２の中心軸線Ｏを基準として該中心軸線上に位置しないように錠箱３の上下方向に内側取付け座２３を介して配設している。
【００３７】
付言すると、前述した内側取付け座２３の凹所２６の中央部には内側入力手段２５の指先状突起部分２５ｂが貫通する貫通孔５４が形成され、該内側取付け座２３を引戸２の内壁面から該引戸の装着用開口部分に嵌め込むと、前記指先状突起部分２５ｂは錠箱３の透孔６を貫通すると共に、ロック部材１２のスライダー１３の開口（後端係合部）１７に制御片３１の突起部分５１と並ぶように係入する。
【００３８】
内側取付け座２３の上下端部の内側には、第１固定手段２８がそれぞれ螺合する螺合筒部分５５が複数本設けられている。また、内側取付け座２３の中央部の内側には、錠箱３に形成した不番の嵌合小孔に嵌合する筒状嵌合突起５６が設けられている。
【００３９】
このように、本実施例では、外側入力手段２１は、錠箱３の上壁３ｂよりも上方に位置し、これに対して、内側入力手段２３は、前記錠箱３の幅広側壁３ｄの外側に全部又は一部が位置することも特徴部分の一つである。
【実施例】
【００４０】
一端部３１ａが内筒部材４２に係合し、一方、他端部３１ｂに錠箱３の透孔６を貫通して錠箱内のロック部材１２と係合する突起部分５１を有するクランク状の作動レバー３１は、任意に設計変更することが可能である。特に図示しないが、例えば内筒部材４２の後部回転体４４の係合突起４７に代えて、該後部回転体４４の中央部に係合歯（ピニオン）を形成し、この係合歯に係合するラック部分をクランク状作動レバー３１の一端部３１ａの一側壁部分に設けても、本実施例と同様の目的・効果を達成することができる。
【産業上の利用可能性】
【００４１】
錠前や建具の業界で実施される。
【符号の説明】
【００４２】
１…戸枠、２…引戸、３…錠箱、６…透孔、７…施錠部材、１２…ロック部材、２１…外側取付け座、２２…外側入力手段、４２…内筒部材、Ｏ…中心軸線、２３…内側取付け座、２５…内側入力手段、３１…制御片、３１ａ…一端部、３２…垂直案内板、５１…突起部分、３５…座本体、３６…筒状外筒部、４１…位置決め兼用案内部分、４１ａ…端部、３３…固定手段。
【図１】
2011047112.tif 000003
【図２】
2011047112.tif 000004
【図３】
2011047112.tif 000005
【図４】
2011047112.tif 000006
【図５】
2011047112.tif 000007
【図６】
2011047112.tif 000008
【図７】
2011047112.tif 000009
【図８】
2011047112.tif 000010
【図９】
2011047112.tif 000011
【図１０】
2011047112.tif 000012
【図１１】
2011047112.tif 000013
【図１２】
2011047112.tif 000014